(57)【要約】【課題】回転可能な演出部材に識別情報を設けるものにおける演出効果を高める。【解決手段】可動役物６０を構成する複数のキューブ７０はそれぞれの表面に回転方向に沿って並んだ複数の分割図柄が設けられ、軸方向に隣り合うキューブ７０が互いに異なる回転方向に回転する。このため、可動役物６０（複数のキューブ７０）に表示される全体図柄（識別情報）の移動を複雑なものとして、停止表示される全体図柄が予測し難いものとなるから、可動役物６０の作動に遊技者を注目させて演出効果を高めることができる。また、複数列の可動役物６０（６０Ａ〜６０Ｄ）を備えるから、全体図柄（識別情報）の移動を一層複雑なものとすることができる。【選択図】図２
2018064646.tif 000002
【特許請求の範囲】
【請求項１】
駆動手段の駆動により軸回りに回転する演出部材を備える遊技機用演出装置であって、
前記演出部材は、軸方向に沿って並び前記軸回りに回転可能な複数の個別部材により構成され、
前記個別部材は、それぞれの表面に、前記軸回りに回転する際の回転方向に沿って並んだ複数の識別情報が設けられ、
前記駆動手段は、前記軸方向に隣り合う前記個別部材を互いに異なる回転方向に回転させるよう構成され、
前記軸方向に直交する直交方向に複数の前記演出部材が並んで設けられている
ことを特徴とする遊技機用演出装置。
【請求項２】
請求項１に記載の遊技機用演出装置であって、
前記駆動手段は、前記直交方向に隣り合う前記演出部材において、該直交方向に隣り合う前記個別部材を互いに異なる回転方向に回転させるよう構成されている
ことを特徴とする遊技機用演出装置。
【請求項３】
請求項１または２に記載の遊技機用演出装置であって、
複数の前記演出部材をそれぞれ移動させるための移動ベース部材を複数有し、複数の前記移動ベース部材をそれぞれ前記直交方向に移動可能な移動手段を備える
ことを特徴とする遊技機用演出装置。
【請求項４】
請求項１ないし３のいずれか１項に記載の遊技機用演出装置であって、
複数の前記演出部材を前記軸方向および前記直交方向に直交する軸回りにまとめて回転させるための回転ベース部材を有し、前記回転ベース部材を回転可能な回転手段を備える
ことを特徴とする遊技機用演出装置。
【請求項５】
請求項４に記載の遊技機用演出装置であって、
前記個別部材の表面に設けられる複数の前記識別情報として、複数種の所定の情報をそれぞれ複数の前記演出部材における前記個別部材の総数で分割した複数種の分割情報が設けられ、
前記複数種の所定の情報には、前記回転ベース部材に対する向きが異なる情報が含まれ、
前記回転手段は、前記所定の情報の向きに応じた向きとなるよう前記回転ベース部材を回転させる
ことを特徴とする遊技機用演出装置。
【発明の詳細な説明】
【技術分野】
【０００１】
本発明は、遊技機用演出装置に関する。
【背景技術】
【０００２】
従来、この種の遊技機用演出装置としては、遊技盤の中央に配置された演出表示装置の上方に設けられ、四角筒状の回転体を有する演出ユニットが提案されている。例えば、特許文献１の演出ユニットは、四角筒状の回転体を、左右二枚の側板と、各側板の四辺にそれぞれ固定される横長長方形状の四枚の演出板とにより構成し、一方の側板から外方に突出する軸部材に嵌め込まれるギヤと、そのギヤを回転させる回転モータとを有する回転駆動機構を備えている。横長長方形状の四枚の演出板には、それぞれ、識別情報としての文字群や記号群、図形群などが設けられている。演出ユニットは、確変状態や大当り発生状態などの遊技状態に基づいて選定された一の演出板が前面を向くよう回転モータを駆動し、前面を向いた演出板により遊技者に遊技状態を報知している。
【先行技術文献】
【特許文献】
【０００３】
【特許文献１】特開２０１５−１１６４４１号公報
【発明の概要】
【発明が解決しようとする課題】
【０００４】
しかしながら、上述した演出ユニットでは、四角筒状の回転体を回転させてから停止させることで識別情報を表示するものに過ぎない。このため、識別情報の移動が単調なものとなるから、演出ユニットの演出効果を高めるために、なお改善の余地がある。
【０００５】
本発明の遊技機用演出装置は、回転可能な演出部材に識別情報を設けるものにおける演出効果を高めることを主目的とする。
【課題を解決するための手段】
【０００６】
本発明の遊技機用演出装置は、上述の主目的を達成するために以下の手段を採った。
【０００７】
本発明の遊技機用演出装置は、
駆動手段の駆動により軸回りに回転する演出部材を備える遊技機用演出装置であって、
前記演出部材は、軸方向に沿って並び前記軸回りに回転可能な複数の個別部材により構成され、
前記個別部材は、それぞれの表面に、前記軸回りに回転する際の回転方向に沿って並んだ複数の識別情報が設けられ、
前記駆動手段は、前記軸方向に隣り合う前記個別部材を互いに異なる回転方向に回転させるよう構成され、
前記軸方向に直交する直交方向に複数の前記演出部材が並んで設けられている
ことを要旨とする。
【０００８】
本発明の遊技機用演出装置では、演出部材を構成する複数の個別部材は、それぞれの表面に回転方向に沿って並んだ複数の識別情報が設けられ、軸方向に隣り合う個別部材を互いに異なる回転方向に回転させる。これにより、演出部材（個別部材）に設けられた識別情報の移動が複雑に見えるから、いずれの識別情報が停止表示されるかを予測し難くすることができる。また、軸方向に直交する直交方向に複数の演出部材が並んで設けられているから、識別情報の移動が一層複雑なものとなる。このため、複数の演出部材の作動に遊技者をより注目させることができるから、演出効果を高めることができる。
【０００９】
本発明の遊技機用演出装置において、前記駆動手段は、前記直交方向に隣り合う前記演出部材において、該直交方向に隣り合う前記個別部材を互いに異なる回転方向に回転させるよう構成されているものとすることもできる。こうすれば、軸方向に隣り合う個別部材だけでなく、直交方向に隣り合う個別部材も異なる回転方向に回転するものとなるから、識別情報の移動をさらに複雑なものとして、演出効果をより高めることができる。
【００１０】
本発明の遊技機用演出装置において、複数の前記演出部材をそれぞれ移動させるための移動ベース部材を複数有し、複数の前記移動ベース部材をそれぞれ前記直交方向に移動可能な移動手段を備えるものとすることもできる。こうすれば、演出部材の軸回りに個別部材を回転させながら、演出部材を互いに接近または離間するように直交方向に移動させることができるから、演出部材の作動パターンを多彩なものとして、演出効果を一層高めることができる。
【００１１】
本発明の遊技機用演出装置において、複数の前記演出部材を前記軸方向および前記直交方向に直交する軸回りにまとめて回転させるための回転ベース部材を有し、前記回転ベース部材を回転可能な回転手段を備えるものとすることもできる。こうすれば、演出部材の軸回りに個別部材を回転させながら、演出部材の軸方向および直交方向に直交する軸回りに演出部材をまとめて回転させることができるから、演出部材の作動パターンを多彩なものとして、演出効果を一層高めることができる。
【００１２】
本発明の遊技機用演出装置において、前記個別部材の表面に設けられる複数の前記識別情報として、複数種の所定の情報をそれぞれ複数の前記演出部材における前記個別部材の総数で分割した複数種の分割情報が設けられ、前記複数種の所定の情報には、前記回転ベース部材に対する向きが異なる情報が含まれ、前記回転手段は、前記所定の情報の向きに応じた向きとなるよう前記回転ベース部材を回転させるものとすることもできる。こうすれば、回転手段により回転される回転ベース部材がいずれの向きで停止するかにも遊技者を注目させることができる。
【発明の効果】
【００１３】
本発明の遊技機用演出装置によれば、回転可能な演出部材に識別情報を設けるものにおける演出効果を高めることができる。
【図面の簡単な説明】
【００１４】
【図１】本発明の一実施例である可動役物演出装置２０を備える遊技機１の外観を示す外観図である。
【図２】可動役物演出装置２０の構成を示す構成図である。
【図３】テーブル回転装置３０の構成を示す構成図である。
【図４】スライド装置４０の構成を示す構成図である。
【図５】スライド装置４０の一部の構成を省略した構成図である。
【図６】可動役物６０の外観斜視図である。
【図７】キューブ７０の外観斜視図である。
【図８】キューブ７０の内部構成を示す斜視図である。
【図９】可動役物６０の内部構成を示す斜視図である。
【図１０】可動役物６０の内部構成を示す斜視図である。
【図１１】可動役物演出装置２０の各作動方向を示す説明図である。
【図１２】可動役物演出装置２０の表示演出で用いられる図柄の全体像である全体図柄の一例を示す説明図である。
【図１３】全体図柄を分割した分割図柄を各キューブ７０の装飾板７１に設けた様子を示す説明図である。
【図１４】可動役物演出装置２０の作動の様子を示す説明図である。
【図１５】可動役物演出装置２０の作動の様子を示す説明図である。
【図１６】可動役物演出装置２０の作動の様子を示す説明図である。
【図１７】変形例の可動役物演出装置１２０の各作動方向を示す説明図である。
【発明を実施するための形態】
【００１５】
次に、本発明の実施の形態を実施例を用いて説明する。
【実施例】
【００１６】
図１は本発明の一実施例である可動役物演出装置２０を備える遊技機１の外観を示す外観図であり、図２は可動役物演出装置２０の構成を示す構成図であり、図３はテーブル回転装置３０の構成を示す構成図であり、図４はスライド装置４０の構成を示す構成図であり、図５はスライド装置４０の一部の構成を省略した構成図である。また、図６は可動役物６０の外観斜視図であり、図７はキューブ７０の外観斜視図であり、図８はキューブ７０の内部構成を示す斜視図であり、図９，図１０は可動役物６０の内部構成を示す斜視図であり、図１１は可動役物演出装置２０の各作動方向を示す説明図である。
【００１７】
遊技機１は、図１に示すように、略長方形状の本体２と、本体２の前面中央に設けられ遊技球が流下可能な遊技領域を有する遊技盤３と、遊技盤３の上方に設けられ種々の効果音や報知音を出力するスピーカ４と、遊技盤３の下方に設けられ遊技球を貯留する上受け皿５および下受け皿６と、上受け皿５に貯留されている遊技球を遊技盤３へ発射するための発射ハンドル７と、上受け皿５の中央に設けられ遊技者による入力操作が可能な操作ボタン８と、を備える。
【００１８】
遊技盤３は、遊技領域の右下部に配置された図柄表示装置１１と、遊技領域の中央に配置され各種演出画像を表示する液晶表示装置１２と、液晶表示装置１２の下方に配置され遊技球が入球可能な第１始動口（固定始動口）１３と、第１始動口１３の下方に開閉可能に配置され遊技球が入球可能な第２始動口（可変始動口）１４と、液晶表示装置１２の右下に開閉可能に配置され遊技球が入球可能な大入賞口１５と、遊技領域の下方まで流下した遊技球を回収するためのアウト口１６と、回転可能な複数のキューブ７０で構成された可動役物（キューブ列）６０を複数列（例えば４列）備える可動役物演出装置２０と、が設けられている。可動役物演出装置２０は、通常は複数列の可動役物６０が液晶表示装置１２の上下に所定列数（例えば２列）ずつに分割された待機位置で待機しており（図１，図２参照）、所定の演出タイミングでキューブ７０を回転させたり可動役物６０をスライドさせたりしながら液晶表示装置１２の中央前方の表示位置まで可動役物６０を移動させてキューブ７０の回転を停止させることで、キューブ７０に設けられた図柄（識別情報）を遊技者に表示する。なお、以下の可動役物演出装置２０の説明において、上下方向と左右方向とは図２〜図５に示す方向である。
【００１９】
遊技機１は、第１始動口１３や第２始動口１４への遊技球の入球に伴い、図柄表示装置１１で特別図柄の変動表示を行い、特別図柄の変動表示の終了に伴い特別図柄が大当り図柄で停止表示されると、大入賞口１５を開放する大当り遊技を実行するパチンコ機として構成されている。また、遊技機１は、特別図柄の変動表示中に、液晶表示装置１２で演出図柄を変動表示させる図柄変動演出を行う。図柄変動演出では、演出図柄の変動表示を伴ってリーチ演出や予告演出、ボタン演出などが行われる。また、可動役物演出装置２０を用いた図柄（識別情報）の表示演出により、特別図柄が大当り図柄で停止表示される可能性や遊技状態などを遊技者に示唆する。
【００２０】
可動役物演出装置２０は、図２に示すように、回転軸の軸方向（左右方向）に沿って一列に並んだ複数（本実施例では６個）の略立方体状のキューブ７０からなる可動役物６０が複数列（本実施例では、６０Ａ〜６０Ｄの４列）設けられており、各可動役物６０を軸方向に直交する列方向（直交方向、上下方向）にスライドさせるスライド装置４０と、各可動役物６０をスライド装置４０ごと回転させるテーブル回転装置３０とを備える。
【００２１】
テーブル回転装置３０は、図３に示すように、外周の一部に円弧状の弧状ギヤ３２が形成されスライド装置４０が取り付けられる円盤状のターンテーブル３１と、ベース２１（図２参照）に固定された駆動モータ３６と、駆動モータ３６の回転軸に取り付けられた駆動ギヤ３７と噛合する前段ギヤ３８ａを含む複数の中間ギヤ群３８と、中間ギヤ群３８の最後段の後段ギヤ３８ｂと噛合すると共にターンテーブル３１の弧状ギヤ３２と噛合する伝達ギヤ３９とを備える。ターンテーブル３１は、中央に矩形状の開口３１ａが設けられており、この開口３１ａを介して液晶表示装置１２が視認可能となる。テーブル回転装置３０は、駆動モータ３６の駆動により駆動ギヤ３７が回転することで、中間ギヤ群３８と伝達ギヤ３９とを介して弧状ギヤ３２が形成されたターンテーブル３１を回転させる。ターンテーブル３１は、その外周のうち約１２０度の範囲に亘って弧状ギヤ３２が形成されている。このため、ターンテーブル３１は、駆動モータ３６の駆動により約１２０度の範囲で回転可能であるから（図１１参照）、キューブ７０の軸方向が左右方向（横方向）となる横並びの位置（図２参照）と、横並びの位置から９０度回転してキューブ７０の軸方向が上下方向（縦方向）となる縦並びの位置とに回転可能となる。なお、テーブル回転装置３０は、ターンテーブル３１の外周から外側に突出する被検知片３１ｂ，３１ｃと、被検知片３１ｂを検知可能な検知センサ３１ｄと、被検知片３１ｃを検知可能な検知センサ３１ｅとを備える。そして、検知センサ３１ｄが被検知片３１ｂを検知することでターンテーブル３１がキューブ７０の横並びの回転位置にあることを検知し、検知センサ３１ｅが被検知片３１ｃを検知することでターンテーブル３１がキューブ７０の縦並びの回転位置にあることを検知する。
【００２２】
スライド装置４０は、図４に示すように、４つの可動役物６０Ａ〜６０Ｄをそれぞれスライドさせる４つのスライド装置４０Ａ〜４０Ｄを備える。各スライド装置４０Ａ〜４０Ｄは、４列に並んだ可動役物６０Ａ〜６０Ｄのうち、列方向の外側に配置される可動役物６０Ａ，６０Ｄをスライドさせるスライド装置４０Ａ，４０Ｄが共通の構成で且つ連動し、列方向内側に配置される可動役物６０Ｂ，６０Ｃをスライドさせるスライド装置４０Ｂ，４０Ｃが共通の構成で且つ連動するようになっている。また、スライド装置４０Ａ，４０Ｄとスライド装置４０Ｂ，４０Ｃとは同様な構成である。このため、以下では主にスライド装置４０Ａ（４０Ｄ）の構成を説明する。なお、スライド装置４０Ａ，４０Ｄの構成要素には４０番台の符号を付し、スライド装置４０Ｂ，４０Ｃの構成要素には５０番台の符号を付し、対応する構成要素は符号の一の位を同じ番号とする。
【００２３】
スライド装置４０Ａ，４０Ｄは、可動役物６０Ａ，６０Ｄがそれぞれ取り付けられる２つのスライダ４１，４１と、両スライダ４１を駆動させるための駆動モータ４７（４７Ａ，４７Ｄ）とを備える。スライド装置４０Ａ，４０Ｄの駆動モータ４７Ａ，４７Ｄは、ターンテーブル３１に設けられたモータ受け部３４ａに配置される。また、スライド装置４０Ｂ，４０Ｃの駆動モータ５７Ｂ，５７Ｃは、ターンテーブル３１に設けられたモータ受け部３４ｂに配置される。駆動モータ５７Ｂ，５７Ｃは、駆動モータ４７Ａ，４７Ｄよりも手前側に位置するものとなっている。また、スライド装置４０Ｂのスライダ５１は、スライド装置４０Ａのスライダ４１よりも手前側に位置してスライダ４１に一部が重なるものとなり、スライド装置４０Ｃのスライダ５１は、スライド装置４０Ｄのスライダ４１よりも手前側に位置してスライダ４１に一部が重なるものとなる。スライド装置４０の一部の構成を省略した図５では、スライド装置４０Ｂ，４０Ｃ（各スライダ５１や駆動モータ５７Ｂ，５７Ｃなど）の図示を省略した。また、図５の拡大図には、スライド装置４０Ａのスライダ４１などを図示した。
【００２４】
スライダ４１は、可動役物６０が取り付けられる梁部４２と、梁部４２を上側として梁部４２の右側を支持する柱部４３および梁部４２の左側を支持する柱部４４とを有する門型形状の部材として形成されている。スライダ４１の梁部４２には、可動役物６０のキューブ７０の左右の幅（例えば３０〜４０ｍｍなどの数十ｍｍ程度）とキューブ７０同士の間隔（例えば２〜３ｍｍなどの数ｍｍ程度）とに応じたピッチで複数の貫通孔４２ａが形成されている。スライド装置４０Ａのスライダ４１は、駆動モータ４７（４７Ａ）側となる右側の柱部４３において、外側（右側）の側壁に駆動モータ４７（４７Ａ）の回転軸に取り付けられた図示しない駆動ギヤと噛合する第１ラックギヤ部４３ａが形成されると共に内側（左側）の側壁に第２ラックギヤ部４３ｂが形成されている。また、スライダ４１は、駆動モータ４７（４７Ａ）の反対側となる左側の柱部４４において、外側（左側）の側壁に第３ラックギヤ部４４ａが形成されている。
【００２５】
スライド装置４０Ａのスライダ４１の第２ラックギヤ部４３ｂは、ピニオンギヤ４５と噛合しており、このピニオンギヤ４５は、スライド装置４０Ｄのスライダ４１の第３ラックギヤ部４４ａと噛合している。また、スライド装置４０Ａのスライダ４１の第３ラックギヤ部４４ａは、ピニオンギヤ４６と噛合しており、このピニオンギヤ４６は、スライド装置４０Ｄのスライダ４１の第２ラックギヤ部４３ｂと噛合している。スライド装置４０Ａは、駆動モータ４７Ａの駆動により駆動ギヤを回転させ、その回転駆動力を第１ラックギヤ部４３ａにより直動力に変換することで、柱部４３を含むスライダ４１を上下方向にスライドさせる。また、柱部４３がスライドすると、第２ラックギヤ部４３ｂに噛合するピニオンギヤ４５を介してスライド装置４０Ｄのスライダ４１の第３ラックギヤ部４４ａ（柱部４４）に上下反対方向の直動力が伝達される。スライド装置４０Ｄは、駆動モータ４７Ｄの駆動により駆動ギヤを回転させ、その回転駆動力を第１ラックギヤ部４３ａにより直動力に変換することで、柱部４３を含むスライダ４１を上下方向にスライドさせる。また、柱部４３がスライドすると、第２ラックギヤ部４３ｂに噛合するピニオンギヤ４６を介してスライド装置４０Ａのスライダ４１の第３ラックギヤ部４４ａ（柱部４４）に上下反対方向の直動力が伝達される。このように、スライド装置４０Ａのスライダ４１とスライド装置４０Ｄのスライダ４１とは、駆動モータ４７Ａ，４７Ｄを同期して駆動することにより、ピニオンギヤ４５，４６およびそれらに噛合する第２ラックギヤ部４３ｂ，第３ラックギヤ部４４ａを介して互いに上下反対方向の直動力を伝達し合って、上下反対方向にスライドするよう連動する。即ち、スライド装置４０Ａのスライダ４１とスライド装置４０Ｄのスライダ４１とは、列方向に接近する方向または離間する方向にスライドすることになる。
【００２６】
また、スライダ４１の柱部４３には、スライド方向に沿って直線状に貫通する長孔４３ｃが形成されており、柱部４４には、スライド方向に沿って直線状に貫通する長孔４４ｃが形成されている。長孔４３ｃには、ターンテーブル３１に設けられたピン取付部３５ａ（図３参照）に取り付けられるガイドピン４３ｄ（図５の拡大図中に点線で図示）が係合しており、長孔４４ｃには、ターンテーブル３１に設けられたピン取付部３５ｂ（図３参照）に取り付けられるガイドピン４４ｄが係合している。また、図示は省略するが、スライダ４１の柱部４４の裏面には、後方に突出するガイドピンが設けられており、このガイドピンがターンテーブル３１に設けられた直線状の長孔３３ａに係合している。このため、スライダ４１は、各ガイドピンと対応する長孔との係合により３箇所でガイドされるから、傾くことなくスライドすることができる。
【００２７】
スライド装置４０Ｂ，４０Ｃは、スライド装置４０Ａ，４０Ｄと同様の構成であり、スライダ５１は、サイズ（柱部５３，５４の長さ）や一部の構成がスライダ４１と異なる点以外は、スライダ４１と同様に構成されている。このため、スライド装置４０Ｂのスライダ５１とスライド装置４０Ｃのスライダ５１とは、上下反対方向にスライドするよう連動し、列方向に接近する方向または離間する方向にスライドすることになる。スライダ５１は、図４に示すように、駆動モータ５７（５７Ｂ）の反対側となる左側の柱部５４の下端に、ガイドピン５４ｅが設けられている。このガイドピン５４ｅは、柱部５４の下端における内側（右側）の側壁からターンテーブル３１側に突出するよう設けられており、ターンテーブル３１に設けられた直線状の長孔３３ｂに係合している。また、図示は省略するが、ターンテーブル３１には、駆動モータ４７Ａ，５７Ｂのケーシングが固定されるモータマウントと駆動モータ４７Ｄ，５７Ｃのケーシングが固定されるモータマウントとが取り付けられており、各モータマウントの裏面（ターンテーブル３１側）に複数のピン取付部が設けられている。このピン取付部に取り付けられたガイドピン５４ｄがスライダ５１の柱部５４に形成された長孔５４ｃに係合し、モータマウントのピン取付部に取り付けられた図示しないガイドピンがスライダ５１の柱部５３に形成された長孔５３ｃに係合している。これらのことから、スライダ５１は、スライダ４１と同様に、各ガイドピンと対応する長孔との係合により３箇所でガイドされるから、傾くことなくスライドすることができる。また、図示は省略するが、スライダ５１の裏面には、後方に突出するガイドピンが設けられており、このガイドピンがスライダ４１の長孔４３ｃに係合している。このため、スライダ４１，５１は、互いにガイドし合いながらスライドすることになる。これらのことから、門型形状のスライダ４１，５１が傾くことなくスライドするから、スライダ４１，５１に取り付けられる可動役物６０Ａ〜６０Ｄも平行移動するようにスライドするものとなる（図１１参照）。なお、上述したテーブル回転装置３０のターンテーブル３１は、演出部材６０の軸方向（左右方向）および軸方向に直交する列方向（上下方向）に直交する軸回りに回転可能なものといえる。
【００２８】
キューブ７０は、可動役物６０の軸方向（左右方向）に沿って一列に配置されている。各キューブ７０は、図７，図８に示すように、透明な樹脂板などに後述する図柄（分割図柄）が設けられた４つの装飾板７１と、各装飾板７１を支持する左右の２つの側板７２とを有する略立方体状の部材である。キューブ７０の側板７２の中央には、円形状の開口が設けられており、その開口の内周部分に円環状の内歯ギヤ７７が形成されている。また、キューブ７０の側板７２の四隅には、貫通孔が設けられており、これらの貫通孔に挿入されるビス７４により側板７２と装飾板７１とが締結される。また、キューブ７０内には、後述する支持軸６４を支持する三日月状の固定板７８が配置されている。
【００２９】
可動役物６０は、図６，図９，図１０に示すように、駆動モータ６１と、可動役物６０の軸方向に延びる第１駆動軸６２と、第１駆動軸６２と平行に延びる第２駆動軸６３と、第１駆動軸６２および第２駆動軸６３と平行に延びる支持軸６４とを備える。第１駆動軸６２と第２駆動軸６３と支持軸６４とは、各キューブ７０の両側板７２の開口（内歯ギヤ７７内）から各キューブ７０内を貫通している。第１駆動軸６２における駆動モータ６１側の端部には、駆動モータ６１の駆動ギヤに噛合する従動ギヤ６２ａが設けられている。また、第１駆動軸６２における駆動モータ６１と反対側の端部には、第１伝達ギヤ６２ｂが設けられ、第２駆動軸６３における駆動モータ６１と反対側の端部には、第１伝達ギヤ６２ｂに噛合する第２伝達ギヤ６３ａが設けられている。可動役物６０は、駆動モータ６１の駆動により駆動ギヤが回転することで従動ギヤ６２ａを介して第１駆動軸６２が回転し、第１駆動軸６２が回転することで第１伝達ギヤ６２ｂと第２伝達ギヤ６３ａとを介して第２駆動軸６３が回転する。このため、駆動モータ６１から第１駆動軸６２に伝達された回転駆動力が、第１伝達ギヤ６２ｂと第２伝達ギヤ６３ａとの２つのギヤを介して、回転方向を逆方向として第２駆動軸６３に伝達される。
【００３０】
また、第１駆動軸６２には、キューブ７０の内歯ギヤ７７と噛合する外歯ギヤ６５が配置されており、第２駆動軸６３には、キューブ７０の内歯ギヤ７７と噛合する外歯ギヤ６６が配置されている。外歯ギヤ６５，６６は、円筒部に溝部（キー溝）６５ａ，６６ａが形成されており、その溝部６５ａ，６６ａに嵌まる突出部を有し第１駆動軸６２または第２駆動軸６３に固定可能なカラー部材６７により、第１駆動軸６２または第２駆動軸６３のいずれかに連結可能となっている。本実施形態では、第１駆動軸６２の外歯ギヤ６５と第２駆動軸６３の外歯ギヤ６６とが交互に連結されるものとした。具体的には、４つの可動役物６０Ａ〜６０Ｄのうち２つの可動役物（例えば、可動役物６０Ａ，６０Ｃ）の第１駆動軸６２では、図１０に示すように、左端側から奇数番目（１，３，５番目）のキューブ７０の内歯ギヤ７７と噛合する外歯ギヤ６５がカラー部材６７により連結されると共に左端側から偶数番目（２，４，６番目）のキューブ７０の内歯ギヤ７７と噛合する外歯ギヤ６５が連結されない（外歯ギヤ６５がフリーで回転する）ものとした。また、これらの２つの可動役物（可動役物６０Ａ，６０Ｃ）の第２駆動軸６３では、図１０に示すように、左端側から偶数番目（２，４，６番目）のキューブ７０の内歯ギヤ７７と噛合する外歯ギヤ６６がカラー部材６７により連結されると共に左端側から奇数番目（１，３，５番目）のキューブ７０の内歯ギヤ７７と噛合する外歯ギヤ６６が連結されない（外歯ギヤ６６がフリーで回転する）ものとした。このため、第１駆動軸６２の外歯ギヤ６５とキューブ７０の内歯ギヤ７７とを介して左端側から奇数番目のキューブ７０に回転駆動力を伝達して回転させ、第２駆動軸６３の外歯ギヤ６６とキューブ７０の内歯ギヤ７７とを介して左端側から偶数番目のキューブ７０に回転駆動力を伝達して回転させるものとなる。上述したように、第１駆動軸６２と第２駆動軸６３との回転方向は逆方向となるから、左端側から奇数番目のキューブ７０と偶数番目のキューブ７０との回転方向は逆方向となる。即ち、軸方向（左右方向）に隣り合うキューブ７０は、互いに異なる回転方向に回転するものとなる（図１１参照）。
【００３１】
また、４つの可動役物６０Ａ〜６０Ｄのうち残りの２つの可動役物６０Ｂ，６０Ｄでは、可動役物６０Ａ，６０Ｃにおける外歯ギヤ６５，６６と第１駆動軸６２，第２駆動軸６３との連結の順序（奇数番目と偶数番目）が異なっている。即ち、可動役物６０Ｂ，６０Ｄの第１駆動軸６２では、左端側から偶数番目のキューブ７０の内歯ギヤ７７と噛合する外歯ギヤ６５がカラー部材６７により連結されると共に左端側から奇数番目のキューブ７０の内歯ギヤ７７と噛合する外歯ギヤ６５が連結されないものとした。また、可動役物６０Ｂ，６０Ｄの第２駆動軸６３では、左端側から奇数番目のキューブ７０の内歯ギヤ７７と噛合する外歯ギヤ６６がカラー部材６７により連結されると共に左端側から偶数番目のキューブ７０の内歯ギヤ７７と噛合する外歯ギヤ６６が連結されないものとした。このため、可動役物６０Ｂ，６０Ｄにおいても、隣り合うキューブ７０は、互いに異なる回転方向に回転するものとなる（図１１参照）。また、可動役物６０Ｂ，６０Ｄでは、可動役物６０Ａ，６０Ｃと異なり、第１駆動軸６２の外歯ギヤ６５とキューブ７０の内歯ギヤ７７とを介して左端側から偶数番目のキューブ７０に回転駆動力を伝達して回転させ、第２駆動軸６３の外歯ギヤ６５とキューブ７０の内歯ギヤ７７とを介して左端側から奇数番目のキューブ７０に回転駆動力を伝達して回転させるものとなる。したがって、可動役物６０Ｂ，６０Ｄの奇数番目のキューブ７０は、可動役物６０Ａ，６０Ｃの奇数番目のキューブ７０と回転方向が逆方向となり、可動役物６０Ｂ，６０Ｄの偶数番目のキューブ７０は、可動役物６０Ａ，６０Ｃの偶数番目のキューブ７０と回転方向が逆方向となる（図１１参照）。即ち、各可動役物６０Ａ〜６０Ｄは、列方向（上下方向）に隣り合うキューブ７０がそれぞれ逆方向に回転するものとなる。
【００３２】
また、可動役物６０は、ＬＥＤ基板６８と、支持板６９とを備える。ＬＥＤ基板６８は、図９中の上面に複数のＬＥＤチップ６８ａが設けられている。本実施形態では、ＬＥＤチップ６８ａは、各キューブ７０内に１個ずつ配置されるよう計６個設けられている。なお、ＬＥＤチップ６８ａが各ＬＥＤ基板６８の対角近傍となる位置や四隅近傍となる位置に配置されるなど、各キューブ７０内に複数個ずつ配置されるものとしてもよい。上述したように、装飾板７１は、透明な樹脂板などに図柄（分割図柄）が設けられているから、装飾板７１の図柄が設けられていない箇所を介してＬＥＤチップ６８ａの発光を遊技者が視認可能となる。このため、ＬＥＤチップ６８ａの発光の有無や点滅の有無、点滅間隔時間の長短の変更などの発光態様の変化による演出を行うことで、可動役物６０の装飾効果（演出効果）を高めることができる。支持板６９は、各キューブ７０同士の間に側板７２に隣接するように配置されており、支持軸６４を支持する三日月状の固定板７８（図７，図８参照）が固定される。なお、支持軸６４を支持する固定板７８は、キューブ７０の側板７２の開口に挿通された状態で支持板６９に固定されており、これによりキューブ７０が回転可能に支持される。また、支持板６９は、下端にビス孔６９ａが形成されている。可動役物６０は、スライダ４１の梁部４２の貫通孔４２ａに挿入されたビスがビス孔６９ａに締結されることなどにより、スライダ４１に固定される。なお、可動役物６０は、それぞれ図示しない回転位置検出センサを備えており、回転位置検出センサによりキューブ７０の回転位置を検出可能となっている。
【００３３】
ここで、図１２は、可動役物演出装置２０の表示演出で用いられる図柄の全体像である全体図柄の一例を示す説明図であり、図１３は、全体図柄を分割した分割図柄を各キューブ７０の装飾板７１に設けた様子を示す説明図である。本実施例の全体図柄としては、星形を模した七角形状の第１全体図柄（図１２（ａ），図１３（ａ））と、ＣＨＡＮＣＥの文言を示す第２全体図柄（図１２（ｂ），図１３（ｂ））と、稲妻と爆発を模した第３全体図柄（図１２（ｃ），図１３（ｃ））と、激アツの文言を示す第４全体図柄（図１２（ｄ），図１３（ｄ））との４種類の全体図柄（複数種の所定の情報）が用いられる。分割図柄は、全体図柄をキューブ７０の総数（本実施形態では２４個）で分割した個々の図柄であり、１つのキューブ７０の４つの装飾板７１には、４種類の全体図柄のそれぞれに対応する分割図柄が１つずつ設けられる。即ち、キューブ７０は、それぞれの表面に回転方向に沿って並んだ複数の分割図柄が設けられている。なお、図２では、第１全体図柄の分割図柄が設けられた装飾板７１が表示されている（前方を向いている）様子を示す。また、上述したように、可動役物６０Ａ〜６０Ｄは、軸方向および列方向に隣り合うキューブ７０がそれぞれ逆方向に回転するものとなる。このため、キューブ７０の装飾板７１に設けられる分割図柄の順序は回転方向に応じて異なるものとなり、図７中の装飾板７１の展開図に示す２つのパターンＸ，Ｙのいずれかとなる。パターンＸは、４枚の装飾板７１の展開図において、図７中の上から順に、第３全体図柄に対応する分割図柄、第１全体図柄に対応する分割図柄、第２全体図柄に対応する分割図柄、第４全体図柄に対応する分割図柄と並ぶパターンである。また、パターンＹは、４枚の装飾板７１の展開図において、図７中の上から順に、第２全体図柄に対応する分割図柄、第１全体図柄に対応する分割図柄、第３全体図柄に対応する分割図柄、第４全体図柄に対応する分割図柄と並ぶパターンである。例えば、可動役物６０Ａ，６０Ｃの奇数番目のキューブ７０および可動役物６０Ｂ，６０Ｄの偶数番目のキューブ７０では一方のパターン（パターンＸ）となり、可動役物６０Ａ，６０Ｃの偶数番目のキューブ７０および可動役物６０Ｂ，６０Ｄの奇数番目のキューブ７０では他方のパターン（パターンＹ）となる。
【００３４】
また、４種類の全体図柄のうち、第１全体図柄および第２全体図柄は横長の向きの図柄であり、第３全体図柄および第４全体図柄は縦長の向きの図柄であり、ターンテーブル３１に対する向きが異なるものとなる。このため、第１全体図柄や第２全体図柄を適切な向きで表示する際には、キューブ７０が横並びとなるようターンテーブル３１を回転させ、第３全体図柄や第４全体図柄を適切な向きで表示する際には、キューブ７０が縦並びとなるようターンテーブル３１を回転させることになる。なお、上述したようにキューブ７０は待機位置で横向きであるから、ターンテーブル３１の回転を伴わずに横長の向きの第１全体図柄や第２全体図柄が停止表示されるよりもターンテーブル３１の回転を伴って縦長の向きの第３全体図柄や第４全体図柄が停止表示される方が、遊技者に有利な状態となる可能性（例えば、特別図柄が大当り図柄で停止表示される可能性）が高いものとすることができる。また、同じ向きの図柄であれば、文言のない全体図柄よりも文言のある全体図柄の方が、特別図柄が大当り図柄で停止表示される可能性が高いものとすることができる。そのようにする場合、大当り図柄となる可能性が高い方から順に、第４全体図柄、第３全体図柄、第２全体図柄、第１全体図柄となる。
【００３５】
次に、こうして構成された可動役物演出装置２０の動作について説明する。図１４〜図１６は、可動役物演出装置２０の作動の様子を示す説明図である。なお、図１４〜図１６では、キューブ７０を含む可動役物６０Ａ〜６０Ｄを実線で示し、ターンテーブル３１とその長孔３３ａ，３３ｂとを点線で示し、それら以外の図示は省略する。また、回転中の各キューブ７０の２つの装飾板７１の板面が見えている状態（図１４（ａ），図１５（ｂ））と、各キューブ７０の１つの装飾板７１の板面のみが見えている状態（図１４（ｂ），図１５（ｂ），図１６（ａ），（ｂ））とを示す。図１４（ａ）は上述した待機位置でキューブ７０が回転している様子の一例であり、図１４（ｂ）はキューブ７０が回転しながら可動役物６０Ｂ，６０Ｃが待機位置から中央側にスライドした様子の一例である。図１５（ａ）はキューブ７０が回転しながら可動役物６０Ａ〜６０Ｄが中央側にスライドした様子の一例であり、図１５（ｂ）は可動役物６０Ａ〜６０Ｄのキューブ７０が横並びの表示位置まで移動しキューブ７０が回転を停止して第２全体図柄を表示した様子の一例である。図１６（ａ）はキューブ７０が回転しながらターンテーブル３１が回転した様子の一例であり、図１６（ｂ）は可動役物６０Ａ〜６０Ｄのキューブ７０が縦並びの表示位置まで移動しキューブ７０が回転を停止して第４全体図柄を表示した様子の一例である。上述したように、軸方向に隣り合うキューブ７０は回転方向を逆方向として軸回りに回転するから、図１４（ａ），図１５（ａ）に示すように、回転中に前方に表示される分割図柄が、異なる種類の全体図柄に対応するものとなることがある。また、図１４（ｂ），図１６（ａ）に示すように、可動役物６０Ａ〜６０Ｄがスライドにより互いに離間していることがあるから、表示される図柄の全体像を把握し難いものとなる。これらのことから、可動役物６０（キューブ７０）の回転中に図柄を認識し難くなり、どの種類の全体図柄が表示（停止表示）するかを遊技者が予測するのは困難となる。このため、図１５（ｂ），図１６（ｂ）に示すようにキューブ７０が回転停止するまで、可動役物演出装置２０の作動に遊技者を注目させることができるから、可動役物演出装置２０の表示演出による演出効果が高まるものとなる。
【００３６】
また、可動役物６０Ａ〜６０Ｄの各キューブ７０が回転停止すると見せかけてから再び各キューブ７０を回転させてもよいし、可動役物６０Ａ〜６０Ｄのうちいずれか一列または複数列の可動役物６０Ａ〜６０Ｄのキューブ７０の回転を一時的に停止させてから再び回転させてもよい。さらに、スライド装置４０により待機位置から表示位置まで可動役物６０Ａ〜６０Ｄをスライドさせて停止表示すると見せかけてから再び可動役物６０Ａ〜６０Ｄを待機位置方向へスライドさせてもよいし、待機位置と表示位置との間を行き来するよう可動役物６０Ａ〜６０Ｄをスライドさせてもよい。また、テーブル回転装置３０でターンテーブル３１を回転させて可動役物６０Ａ〜６０Ｄの各キューブ７０を縦並びとして停止表示すると見せかけてから再び可動役物６０Ａ〜６０Ｄの各キューブ７０が横並びとなるようターンテーブル３１を回転させてもよいし、ターンテーブル３１を揺動させて可動役物６０Ａ〜６０Ｄの各キューブ７０の並びを横並びと縦並びとの間で繰り返し変化させてもよい。また、可動役物６０Ａ〜６０Ｄの各キューブ７０を縦並びとした状態で各キューブ７０を回転停止させる際に、縦長の向きの全体図柄でなく横長の向きの全体図柄を表示し、ターンテーブル３１を回転させて可動役物６０Ａ〜６０Ｄの各キューブ７０を横並びとしてもよい。逆に、可動役物６０Ａ〜６０Ｄの各キューブ７０を横並びとした状態で各キューブ７０を回転停止させる際に、横長の向きの全体図柄でなく縦長の向きの全体図柄を表示し、ターンテーブル３１を回転させて可動役物６０Ａ〜６０Ｄの各キューブ７０を縦並びとしてもよい。上述したように、横長の向きの全体図柄よりも縦長の向きの全体図柄の方が大当りの可能性が高いものとしたから、可動役物６０Ａ〜６０Ｄの各キューブ７０がいずれの並び方向でいずれの向きの全体図柄が停止表示されるかに遊技者を注目させて演出効果を高めることができる。このように可動役物６０Ａ〜６０Ｄのスライドとターンテーブル３１の回転と各キューブ７０の回転とを組み合わせることで、可動役物６０Ａ〜６０Ｄの動作パターンを多彩なものとすることができるから、可動役物演出装置２０の表示演出に遊技者を一層注目させることができる。なお、上述したＬＥＤチップ６８ａの発光態様の変化による演出を、可動役物６０の動作パターンによる演出と組み合わせて行うことで、可動役物演出装置２０の演出効果を一層高めることができる。
【００３７】
以上説明した実施例の可動役物演出装置２０は、可動役物６０を軸方向に並んだ複数のキューブ７０により構成し、各キューブ７０の表面に回転方向に沿って複数の分割図柄が設けられ、軸方向に隣り合うキューブ７０が互いに異なる回転方向に回転する。このため、キューブ７０の回転による全体図柄（識別情報）の移動を複雑なものとして、回転中に全体図柄（識別情報）の認識を困難なものとすることかできるから、可動役物６０の作動に遊技者を注目させて演出効果を高めることができる。また、複数の可動役物６０（６０Ａ〜６０Ｄ）を備えるから、キューブ７０の回転による全体図柄（識別情報）の移動を一層複雑なものとして、演出効果をさらに高めることができる。
【００３８】
また、キューブ７０は、軸方向に沿って６つ（３つ以上）設けられるから、キューブ７０の回転による全体図柄（識別情報）の移動を一層複雑なものとして、停止表示される全体図柄をより予測し難いものとすることができる。また、演出部材７０は、奇数番目または偶数番目の一方のキューブ７０を駆動する第１駆動軸６２と、奇数番目または偶数番目の他方のキューブ７０を駆動する第２駆動軸６３とを備え、第１駆動軸６２と第２駆動軸６３とを互いに異なる方向に回転させるから、軸方向に３つ以上並んだキューブ７０を簡易な構成で回転させることができる。また、第１駆動軸６２に回転駆動力を伝達するモータ６１と、第１駆動軸６２から第２駆動軸６３に回転方向を逆方向として回転駆動力を伝達する第１伝達ギヤ６２ｂと第２伝達ギヤ６３ａとを備えるから、可動役物６０をそれぞれ単一の駆動源で駆動するものとして、省スペース化や低コスト化を図ることができる。
【００３９】
また、軸方向に直交する列方向に隣り合う各可動役物６０において、列方向に隣り合うキューブ７０を互いに異なる回転方向に回転させるから、回転中に表示される全体図柄をより複雑なものとすることができる。また、各可動役物６０が取り付けられるスライダ４１，５１を互いに接近または離間する方向（列方向）に移動させるスライド装置４０を備えるから、可動役物６０の作動パターンを多彩なものとすることができる。さらに、スライド装置４０が取り付けられるターンテーブル３１を回転させるテーブル回転装置３０を備えるから、可動役物６０の作動パターンをより多彩なものとして、演出効果を一層高めることができる。また、各キューブ７０に設けられる分割図柄を組み合わせて形成される全体図柄には、ターンテーブル３１に対する向きが異なるものがあるから、ターンテーブル３１がいずれの向きとなるかにも遊技者を注目させることができる。
【００４０】
実施例では、列方向に隣り合うキューブ７０同士が異なる回転方向に回転するものとしたが、これに限られるものではない。図１７の変形例の可動役物演出装置１２０に示すように、列方向に隣り合うキューブ７０同士が同じ回転方向に回転するものとしてもよい。このようにする場合、各可動役物６０において、外歯ギヤ６５，６６と第１駆動軸６２，第２駆動軸６３との連結の順序をいずれも同じ順序とすればよい。
【００４１】
実施例では、縦長または横長に向きが異なる全体図柄を有するものとしたが、これに限られず、全体図柄の向きをいずれも同じ向きとしてもよい。
【００４２】
実施例では、テーブル回転装置３０のターンテーブル３１の回転により可動役物６０が回転するものとしたが、これに限られず、テーブル回転装置３０を備えずに回転しないものとしてもよい。この場合、可動役物６０は図２の上下方向または左右方向のいずれかにスライドするようスライド装置４０を構成し、全体図柄として横長の向きの図柄または縦長の向きの図柄の一方のみを用いればよい。
【００４３】
実施例では、可動役物６０がスライド装置４０によりスライドするものとしたが、これに限られず、スライド装置４０を備えずにスライドしないものとしてもよい。なお、このようにする場合でも、可動役物６０がターンテーブル３１の回転により回転するものとしてもよい。
【００４４】
実施例では、可動役物６０を４列設けたが、２列や３列、５列以上の複数列設けてもよいし、複数列に限られず１列のみ設けてもよい。
【００４５】
実施例では、各可動役物６０が６個のキューブ７０を備えるものとしたが、これに限られず、３個以上の複数のキューブ７０を備えるものなどとしてもよい。あるいは、可動役物６０が複数列設けられる場合には、各可動役物６０が２個以上の複数のキューブ７０を備えるものでもよい。
【００４６】
実施例では、第１駆動軸６２と第２駆動軸６３とを駆動させる共通の駆動モータ６１を設けたが、これに限られず、第１駆動軸６２と第２駆動軸６３をそれぞれ駆動させる別々の駆動モータを設けてもよい。
【００４７】
実施例では、各可動役物６０が略立方体状のキューブ７０により構成されたが、これに限られず、例えば円柱状（円筒状）や三角柱状などの他の形状の個別部材により構成されてもよい。円柱状の個別部材の場合、例えば、側面全周を半周（１８０度）で２分割した２面のそれぞれに分割図柄（識別情報）を設けるものなどとすればよい。
【００４８】
実施例では、可動役物６０の各キューブ７０に全体図柄を分割した分割図柄を設けるものとしたが、これに限られず、各キューブ７０にそれぞれ一図柄のみで認識可能な記号や数字、図形などの識別情報を設けてもよい。
【００４９】
実施例では、スライド装置４０Ａ，４０Ｄが連動すると共にスライド装置４０Ｂ，４０Ｃが連動するよう構成したが、これに限られず、各スライド装置４０Ａ〜４０Ｄが連動することなく独立して作動するものとしてもよい。
【００５０】
また、本発明をパチンコ機１に適用するものとしたが、これに限定されるものではなく、パチンコ機以外の遊技機、例えばスロットマシンやスロットマシンとパチンコ機との融合機、その他の遊技機に本発明を適用してもよい。
【００５１】
実施例の主要な要素と課題を解決するための手段の欄に記載した発明の主要な要素との対応関係について説明する。実施例では、可動役物演出装置２０が「遊技機用演出装置」に相当し、モータ６１と第１駆動軸６２と第２駆動軸６３と第１伝達ギヤ６２ｂと第２伝達ギヤ６３ａとが「駆動手段」に相当し、可動役物６０が「演出部材」に相当し、キューブ７０が「個別部材」に相当する。また、スライダ４１，５１が「移動ベース部材」に相当し、スライダ装置４０が「移動手段」に相当する。また、ターンテーブル３１が「回転ベース部材」に相当し、テーブル回転装置３０が「回転手段」に相当する。
【００５２】
以上、本発明の実施の形態について実施例を用いて説明したが、本発明はこうした実施例に何等限定されるものではなく、本発明の要旨を逸脱しない範囲内において、種々なる形態で実施し得ることは勿論である。
【符号の説明】
【００５３】
１  遊技機、２  本体、３  遊技盤、４  スピーカ、５  上受け皿、６  下受け皿、７  発射ハンドル、８  操作ボタン、１１  図柄表示装置、１２  液晶表示装置、１３  第１始動口、１４  第２始動口、１５  大入賞口、１６  アウト口、２０，１２０  可動役物演出装置、２１  ベース、３０  テーブル回転装置、３１  ターンテーブル、３１ａ  開口、３１ｂ，３１ｃ  被検知片、３１ｄ，３１ｅ  検知センサ、３２  弧状ギヤ、３３ａ，３３ｂ  長孔、３４ａ，３４ｂ  モータ受け部、３５ａ，３５ｂ  ピン取付部、３６  駆動モータ、３７  駆動ギヤ、３８  中間ギヤ群、３８ａ  前段ギヤ、３８ｂ  後段ギヤ、３９  伝達ギヤ、４０，４０Ａ，４０Ｂ，４０Ｃ，４０Ｄ  スライド装置、４１，５１  スライダ、４２，５２  梁部、４２ａ，５２ａ  貫通孔、４３，５３  柱部、４３ａ，５３ａ  第１ラックギヤ部、４３ｂ，５３ｂ  第２ラックギヤ部、４３ｃ，５３ｃ  長孔、４３ｄ  ガイドピン、４４，５４  柱部、４４ａ，５４ａ  第３ラックギヤ部、４４ｃ，５４ｃ  長孔、４４ｄ  ガイドピン、４５，４６，５５，５６  ピニオンギヤ、４７（４７Ａ，４７Ｄ），５７（５７Ｂ，５７Ｃ）  駆動モータ、５４ｄ  ガイドピン、６０，６０Ａ，６０Ｂ，６０Ｃ，６０Ｄ  可動役物、６１  駆動モータ、６２  第１駆動軸、６２ａ  従動ギヤ、６２ｂ  第１伝達ギヤ、６３  第２駆動軸、６３ａ  第２伝達ギヤ、６４  支持軸、６５，６６  外歯ギヤ、６５ａ，６６ａ  溝部、６７  カラー部材、６８  ＬＥＤ基板、６８ａ  ＬＥＤチップ、６９  支持板、６９ａ  ビス孔、７０  キューブ、７１  装飾板、７２  側板、７４  ビス、７７  内歯ギヤ、７８  固定板。
【図１】
2018064646.tif 000003
【図２】
2018064646.tif 000004
【図３】
2018064646.tif 000005
【図４】
2018064646.tif 000006
【図５】
2018064646.tif 000007
【図６】
2018064646.tif 000008
【図７】
2018064646.tif 000009
【図８】
2018064646.tif 000010
【図９】
2018064646.tif 000011
【図１０】
2018064646.tif 000012
【図１１】
2018064646.tif 000013
【図１２】
2018064646.tif 000014
【図１３】
2018064646.tif 000015
【図１４】
2018064646.tif 000016
【図１５】
2018064646.tif 000017
【図１６】
2018064646.tif 000018
【図１７】
2018064646.tif 000019